(57)【要約】【課題】  旧入居者の通信端末による住宅設備機器に関する要求を排除することができる通信システムを提供する。【解決手段】  住宅設備機器と中継装置２と通信網４及び無線ＬＡＮルータ３を介して中継装置２と通信を行う管理装置５とを備え、管理装置５は、中継装置２の識別情報と通信端末６から送信される使用者識別情報と無線ＬＡＮルータ３の識別情報とを関連付けし、これらの情報を関連付け情報として記憶し、この後に、中継装置２から中継装置２の識別情報及び無線ＬＡＮルータの識別情報が送信されてきたときに、この無線ＬＡＮルータの識別情報が、中継装置２の識別情報に関連付けられている無線ＬＡＮルータ３の識別情報と一致しない場合には、関連付け情報を無効にし、通信端末６から使用者識別情報とともに住宅設備機器に関する要求情報を受信した際に、受信した使用者識別情報を含む関連付け情報が有効であるときにのみ、要求情報に応じた処理を行う。【選択図】  図１
2018182452.tif 000002
【特許請求の範囲】
【請求項１】
住宅設備機器と、
前記住宅設備機器と通信を行う中継装置と、
通信網に接続され、前記通信網及び当該通信網に接続された無線ＬＡＮルータを介して前記中継装置と通信を行う管理装置と、
を備え、
前記管理装置は、
前記中継装置の識別情報と、前記無線ＬＡＮルータの識別情報と、前記通信網を介して前記管理装置と通信を行う通信端末の使用者識別情報と、を所定の処理によって関連付けし、これらの情報を関連付け情報として記憶し、この記憶された関連付け情報を有効とする制御構成を備え、前記関連付け情報が有効とされた状態において、前記中継装置から前記中継装置の識別情報及び前記無線ＬＡＮルータの識別情報が送信されてきたときに、前記関連付け情報に基づいて、前記記憶後に送信されてきた前記無線ＬＡＮルータの識別情報が、前記中継装置の識別情報に関連付けられている前記無線ＬＡＮルータの識別情報と一致するか否かを判定し、一致しない場合には、前記関連付け情報を無効にするよう構成されるとともに、
前記通信端末から前記使用者識別情報とともに前記住宅設備機器に関する要求情報を受信した際に、前記受信した前記使用者識別情報を含む前記関連付け情報が有効であるときにのみ、前記要求情報に応じた処理を行うよう構成された、
通信システム。
【請求項２】
前記管理装置は、
前記通信端末から受信した前記要求情報が前記住宅設備機器を遠隔操作するための遠隔操作情報であり、前記関連付け情報が有効であるときには、前記要求情報に応じた処理として前記遠隔操作情報を前記中継装置へ送信するよう構成され、
前記中継装置は、
受信した前記遠隔操作情報を前記住宅設備機器へ送信するよう構成された、
請求項１に記載の通信システム。
【請求項３】
前記中継装置は、
前記住宅設備機器から前記住宅設備機器の状態を示す機器状態情報を受信し、この受信した機器状態情報を前記管理装置へ送信するよう構成され、
前記管理装置は、
受信した前記機器状態情報を記憶するよう構成されるとともに、
前記通信端末から受信した前記要求情報が前記住宅設備機器の状態の情報を要求するための機器状態要求情報であり、前記関連付け情報が有効であるときには、前記要求情報に応じた処理として前記機器状態情報を前記通信端末へ送信するよう構成された、
請求項１または２に記載の通信システム。
【請求項４】
前記管理装置は、
前記関連付け情報を無効にしたときに、その旨の情報を前記通信端末へ送信するよう構成された、
請求項１〜３のいずれかに記載の通信システム。
【発明の詳細な説明】
【技術分野】
【０００１】
本発明は、給湯器等の住宅設備機器の遠隔操作等を行うための通信システムに関する。
【背景技術】
【０００２】
従来から、携帯電話等の通信端末を用いて住宅設備機器を遠隔操作するシステムが知られている。例えば、特許文献１には、携帯電話等の外部端末を用いて、住宅内の電気機器やガス機器を遠隔制御する技術が開示されている。また、特許文献２，３には、通信網を介して設備機器とセンター装置とがデータ通信を行い、設備機器の遠隔操作を行う端末装置が通信網を介してセンター装置とデータ通信を行い、センター装置が端末装置と設備機器との間のデータの受け渡しを行う構成が開示されている。
【先行技術文献】
【特許文献】
【０００３】
【特許文献１】特許５０４６４１６号公報
【特許文献２】特許４４４１４３０号公報
【特許文献３】特許４６９５４２３号公報
【発明の概要】
【発明が解決しようとする課題】
【０００４】
ところで、住宅の入居者が携帯電話等の通信端末を用いて住宅設備機器の遠隔操作を行うために、通信網に接続された管理装置が、通信端末から住宅設備機器の遠隔操作指令を受けて、その遠隔操作指令を通信網を介して住宅設備機器へ送信するように構成されている場合がある。この場合、管理装置は、通信端末と住宅設備機器との関連付け情報に基づいて、通信端末からの遠隔操作指令を住宅設備機器へ転送するように構成されている。
【０００５】
また、住宅の入居者が通信端末を用いて住宅設備機器の状態の確認を行うために、住宅設備機器から管理装置へ住宅設備機器の状態を示す情報を送信するよう構成され、管理装置は、通信端末から住宅設備機器の状態を示す情報の要求を受信したときに、上記の関連付け情報に基づいて、住宅設備機器の状態を示す情報を通信端末へ送信するよう構成されている場合がある。
【０００６】
上記のような場合において、住宅設備機器が設置されている住宅の入居者（旧入居者）が引っ越しをしたときに、上記の関連付け情報が変更されていないと、旧入居者による通信端末を用いた住宅設備機器の遠隔操作や住宅設備機器の状態の確認が可能になってしまう場合がある。
【０００７】
本発明は上記のような課題を解決するためになされたもので、旧入居者の通信端末による住宅設備機器に関する要求を排除することができる通信システムを提供することを目的としている。
【課題を解決するための手段】
【０００８】
上記目的を達成するために、本発明のある態様に係る通信システムは、住宅設備機器と、前記住宅設備機器と通信を行う中継装置と、通信網に接続され、前記通信網及び当該通信網に接続された無線ＬＡＮルータを介して前記中継装置と通信を行う管理装置と、を備え、前記管理装置は、前記中継装置の識別情報と、前記無線ＬＡＮルータの識別情報と、前記通信網を介して前記管理装置と通信を行う通信端末の使用者識別情報と、を所定の処理によって関連付けし、これらの情報を関連付け情報として記憶し、この記憶された関連付け情報を有効とする制御構成を備え、前記関連付け情報が有効とされた状態において、前記中継装置から前記中継装置の識別情報及び前記無線ＬＡＮルータの識別情報が送信されてきたときに、前記関連付け情報に基づいて、前記記憶後に送信されてきた前記無線ＬＡＮルータの識別情報が、前記中継装置の識別情報に関連付けられている前記無線ＬＡＮルータの識別情報と一致するか否かを判定し、一致しない場合には、前記関連付け情報を無効にするよう構成されるとともに、前記通信端末から前記使用者識別情報とともに前記住宅設備機器に関する要求情報を受信した際に、前記受信した前記使用者識別情報を含む前記関連付け情報が有効であるときにのみ、前記要求情報に応じた処理を行うよう構成されている。
【０００９】
この構成によれば、管理装置が関連付け情報に無線ＬＡＮルータの識別情報を含めて記憶するようにしている。これにより、旧入居者が転居して新入居者が居住する場合には、無線ＬＡＮルータが新入居者所有のものに変更され、新入居者の無線ＬＡＮルータと中継装置との接続設定が行われたときに、旧入居者の無線ＬＡＮルータの識別情報を含む関連付け情報を無効にすることができ、旧入居者の通信端末による住宅設備機器に関する要求（例えば、住宅設備機器の遠隔操作や状態確認の要求）を排除することができる。
【００１０】
前記管理装置は、前記通信端末から受信した前記要求情報が前記住宅設備機器を遠隔操作するための遠隔操作情報であり、前記関連付け情報が有効であるときには、前記要求情報に応じた処理として前記遠隔操作情報を前記中継装置へ送信するよう構成され、前記中継装置は、受信した前記遠隔操作情報を前記住宅設備機器へ送信するよう構成されていてもよい。
【００１１】
この構成によれば、関連付け情報が有効であるときには、通信端末を用いて住宅設備機器を遠隔操作することができる。
【００１２】
前記中継装置は、前記住宅設備機器から前記住宅設備機器の状態を示す機器状態情報を受信し、この受信した機器状態情報を前記管理装置へ送信するよう構成され、前記管理装置は、受信した前記機器状態情報を記憶するよう構成されるとともに、前記通信端末から受信した前記要求情報が前記住宅設備機器の状態の情報を要求するための機器状態要求情報であり、前記関連付け情報が有効であるときには、前記要求情報に応じた処理として前記機器状態情報を前記通信端末へ送信するよう構成されていてもよい。
【００１３】
この構成によれば、関連付け情報が有効であるときには、通信端末を用いて住宅設備機器の状態を確認することができる。
【００１４】
前記管理装置は、前記関連付け情報を無効にしたときに、その旨の情報を前記通信端末へ送信するよう構成されていてもよい。
【００１５】
この構成によれば、旧入居者に住宅設備機器に関する要求ができなくなったことを知らせることができる。
【発明の効果】
【００１６】
本発明は、以上に説明した構成を有し、旧入居者の通信端末による住宅設備機器に関する要求を排除することができる通信システムを提供することができるという効果を奏する。
【図面の簡単な説明】
【００１７】
【図１】図１は、本発明の実施形態の一例の通信システムの概略構成図である。
【図２】図２は、中継装置のシリアル番号にユーザアカウント等を関連付ける手順等の一例を示すフローチャートである。
【発明を実施するための形態】
【００１８】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１９】
（実施形態）
図１は、本発明の実施形態の一例の通信システムの概略構成図である。
【００２０】
この通信システムは、住宅設備機器の一例である給湯器１（例えば、燃焼加熱式の給湯器）と、給湯器１に内蔵されているコントローラ１ａと通信可能に接続された給湯器専用の中継装置２と、インターネット等の通信網４に接続されたコンピュータからなる管理装置５とを備えている。管理装置５は、通信網４及びこの通信網４に接続された無線ＬＡＮルータ３を介して中継装置２と通信を行う。また、携帯電話等からなる通信端末６は、通信網４等を介して管理装置５と通信を行う。この通信システムは、通信網４、無線ＬＡＮルータ３及び通信端末６を利用するものである。無線ＬＡＮルータ３及び通信端末６は、給湯器１が設置されている住宅の入居者（使用者）が所有しているものである。
【００２１】
なお、給湯器１が設置されている住宅は１つでもよいが通常多数存在し、通信システムを構成する給湯器１も１つでもよいが通常多数存在する。ここでは、代表して、１台の給湯器１のみを図示し、また、その給湯器１のみに対応する中継装置２、無線ＬＡＮルータ３及び通信端末６を図示している。以下では、図示されたものについて説明する。
【００２２】
給湯器１は、住宅の屋外または屋内の所定の場所に設置され、台所や浴槽等に湯水を供給する給湯機能を備えている。給湯器１は、外部交流電源（商用電源）から供給される交流電圧を変換して所定の直流電圧を生成する電源部（図示せず）を有し、この電源部で生成した直流電圧を内部で使用するとともに、２芯ケーブルＣ１を介して中継装置２へその動作用電源電圧として供給する。
【００２３】
中継装置２は、住宅の屋外または屋内の所定の場所に設置され、２芯ケーブルＣ１によって給湯器１のコントローラ１ａと接続されている。これにより、２芯ケーブルＣ１を介して中継装置２と給湯器１のコントローラ１ａとの間で相互に通信（双方向通信）が行われる。ここで、２芯ケーブルＣ１には、前述の電源部から中継装置２へ供給される動作用電源電圧に通信の情報が重畳される。
【００２４】
また、中継装置２は、無線ＬＡＮルータ３と無線ＬＡＮの接続設定が行われると、無線ＬＡＮルータ３との間で無線ＬＡＮによる無線通信が可能である。この中継装置２は、給湯器１のコントローラ１ａとの間の通信処理を実行するとともに、無線ＬＡＮルータ３及び通信網４を介して行う管理装置５との間の通信処理を実行する。中継装置２は、例えば、給湯器１のコントローラ１ａから送信されてきた機器情報を、通信形式を変換して無線ＬＡＮルータ３及び通信網４を介して管理装置５へ送信する。また、管理装置５から通信網４及び無線ＬＡＮルータ３を介して送信されてきた情報を、通信形式を変換して給湯器１のコントローラ１ａへ送信する。
【００２５】
また、中継装置２は、ＡＰ（アクセスポイント）機能を有し、この機能を有効化するためのＡＰボタン２ａが設けられている。
【００２６】
無線ＬＡＮルータ３は、自己の識別情報として４８ビットのＢＳＳＩＤ（Basic Service Set Identifier）が設定されており、ＢＳＳＩＤ，ＳＳＩＤ（Service Set Identifier）等の情報をビーコンとして所定時間（例えば１００ｍｓ）間隔で送出している。
【００２７】
管理装置５は、関連付け情報を記憶する記憶部５ａを備えている。関連付け情報は、中継装置２のシリアル番号（中継装置２の識別情報）に、通信端末６から送信されたユーザアカウント（使用者識別情報）と無線ＬＡＮルータ３の識別情報（ＢＳＳＩＤ）とが関連付けされてなる情報である。
【００２８】
また、管理装置５は、中継装置２から送信された機器情報を記憶する記憶部５ｂを備えている。ここで、機器情報としては、給湯器１のコントローラ１ａから電源投入後に最初に中継装置２へ送信される機器構成情報、給湯器１のコントローラ１ａから定期的（例えば１時間間隔）に中継装置２へ送信される給湯器１の運転状態を示す運転状態情報、エラー情報等がある。ここで、機器構成情報は、給湯器１の種類等を示す情報であり、運転状態情報は、給湯器１の給湯設定温度、燃焼運転回数、燃焼運転時間等を含む情報である。エラー情報は、給湯器１に何らかの異常が発生したときに、その異常を示す情報であり、給湯器１のリモコン（図示せず）にも表示される情報である。このリモコンは、２芯ケーブルでコントローラ１ａと接続されている。
【００２９】
これらの機器情報は、中継装置２から中継装置２のシリアル番号とともに管理装置５へ送信される。そして管理装置５では、受信した機器情報を、中継装置２のシリアル番号と関連付けて記憶部５ｂに記憶している。
【００３０】
通信端末６は、スマートフォン等の携帯端末であり、３Ｇ（第３世代）あるいは４Ｇ（第４世代）携帯電話網の基地局等を介して通信網４に接続可能である。また、通信端末６は、無線ＬＡＮ接続が可能である。
【００３１】
この通信端末６は、通信システム専用のアプリケーションプログラム（以下、「システム専用アプリ」という）がインストールされて、管理装置５の記憶部５ａに関連付け情報が記憶されていれば、中継装置２のシリアル番号と関連付けられているユーザアカウントを用いて、管理装置５等を介して給湯器１の遠隔操作及び状態確認を行うことができる。
【００３２】
次に、中継装置２のシリアル番号にユーザアカウント等を関連付ける手順等について説明する。図２は、中継装置２のシリアル番号にユーザアカウント等を関連付ける手順等の一例を示すフローチャートである。
【００３３】
ここでは、例えば、給湯器１及び中継装置２が新たに設置されて給湯器１の電源投入が開始されている場合を考える。あるいは、入居者が給湯器１及び中継装置２が設置された住宅に転居してきて、給湯器１の電源投入が開始されている場合でもよい。なお、以下の手順のうち、入居者が行う手順については中継装置２の取扱説明書に記載されている。
【００３４】
ステップＳ１では、入居者は通信端末６を操作して、スマートフォンＯＳベンダーが提供しているサービスサイトにログインし、前述のシステム専用アプリを通信端末６にダウンロードしてインストールする。この後、入居者は、通信端末６にインストールされたシステム専用アプリを起動し、管理装置５が提供しているユーザ管理サイトにログインする。ユーザ管理サイトにログインすると通信端末６からユーザアカウントが管理装置５へ送信される。このとき、ユーザアカウントがまだない場合は、入居者がユーザアカウントを作成し、作成されたユーザアカウントが管理装置５へ送信される。これにより、管理装置５は、通信端末６から送信されたユーザアカウントを取得する。ユーザアカウントは、例えばＩＤ（例えば通信端末６の電子メールアドレス）とパスワードとからなる。
【００３５】
次に、ステップＳ２では、入居者が中継装置２のＡＰボタン２ａを押してＡＰ機能を有効化する。これにより、中継装置２はＳＳＩＤを含むビーコンを送出する。
【００３６】
次に、ステップＳ３では、中継装置２のＡＰ機能を有効化した状態で、通信端末６を中継装置２に接続する。具体的には、通信端末６の画面に表示されるアクセスポイントのリスト（ＳＳＩＤのリスト）から中継装置２を選択し、暗号化キーを入力する。中継装置２のＡＰ機能のＳＳＩＤと暗号化キーは、中継装置２に貼られたラベルに記載されている。
【００３７】
次に、ステップＳ４では、上記のステップＳ３で通信端末６が中継装置２に接続されると、通信端末６はシステム専用アプリによって中継装置２のシリアル番号を中継装置２から取得して通信端末６の内部の記憶部に記憶する。具体的には、システム専用アプリがシリアル番号の要求を中継装置２へ送信し、中継装置２がそれに応答してシリアル番号を通信端末６へ送信する。この後、通信端末６は、システム専用アプリによって、自動的に、中継装置２に対し中継装置２のＡＰ機能を無効にする指令を送信する。ＡＰ機能が無効にされることによって、通信端末６と中継装置２との接続が遮断される。
【００３８】
次に、ステップＳ５では、入居者は、中継装置２と無線ＬＡＮルータ３との無線ＬＡＮの接続設定を行う。例えば、中継装置２のＷＰＳ（Wi-Fi Protected Setup）ボタン２ｗと無線ＬＡＮルータ３のＷＰＳボタン３ｗとを押すことにより、自動的に接続設定が行われる。このときに、中継装置２は、無線ＬＡＮルータ３の識別情報であるＢＳＳＩＤ（無線ＬＡＮルータ３のＭＡＣアドレス）を取得して、内部の記憶部に記憶する。
【００３９】
次に、ステップＳ６では、中継装置２は、前述のように無線ＬＡＮルータ３との接続設定が行われると、自己（中継装置２）のシリアル番号と、無線ＬＡＮルータ３の識別情報（ＢＳＳＩＤ）とを、無線ＬＡＮルータ３及び通信網４を介して管理装置５へ送信する。このとき、中継装置２は給湯器１のコントローラ１ａから最初に取得している給湯器１の機器構成情報をともに送信する。この機器構成情報は、管理装置５内の記憶部５ｂに記憶される。
【００４０】
次に、ステップＳ７では、通信端末６は、システム専用アプリによって、通信端末６に記憶されている中継装置２のシリアル番号を管理装置５へ送信する。これにより、管理装置５は、通信端末６から送信された中継装置２のシリアル番号を取得する。
【００４１】
次に、ステップＳ８では、管理装置５は、ステップＳ１の後に通信端末６から取得したユーザアカウントと、ステップＳ６で中継装置２から取得した中継装置２のシリアル番号及び無線ＬＡＮルータ３の識別情報（ＢＳＳＩＤ）と、ステップＳ７で通信端末６から取得した中継装置２のシリアル番号と、に基づいて、ステップＳ６とステップＳ７とで取得した同一の中継装置２のシリアル番号に、ユーザアカウントと無線ＬＡＮルータ３の識別情報とを関連付けし、これらの情報を関連付け情報として記憶部５ａに記憶する。このとき、上記関連付け情報は有効な情報として記憶部５ａに記憶される。
【００４２】
前述のステップＳ５で接続設定が行われ、ステップＳ６で中継装置２から機器構成情報が管理装置５へ送信された後、中継装置２は、定期的にコントローラ１ａから給湯器１の運転状態情報を取得し、管理装置５へ送信する。また、中継装置２は、コントローラ１ａからエラー情報を受信すると、そのエラー情報を管理装置５へ送信する。これらの運転状態情報及びエラー情報は、管理装置５内の記憶部５ｂに記憶される。
【００４３】
そして、ステップＳ８の後、入居者は、通信端末６を用いて、給湯器１の遠隔操作及び状態確認を行うことができる。
【００４４】
具体的には、給湯器１の遠隔操作を行う場合、入居者は通信端末６を操作して、管理装置５が提供しているユーザ管理サイトにログインし、給湯器１を遠隔操作するための遠隔操作情報（指令）を管理装置５へ送信する。すると、管理装置５は、ログイン時に取得したユーザアカウントが含まれる関連付け情報を参照し、この関連付け情報に含まれるシリアル番号を有する中継装置２へ遠隔操作情報を送信する。中継装置２では、受信した遠隔操作情報をコントローラ１ａへ送信する。コントローラ１ａは、受信した遠隔操作情報に基づいて給湯器１を制御する。遠隔操作情報としては、給湯器１の運転開始指令、運転停止指令、給湯温度の設定情報等がある。
【００４５】
また、給湯器１の状態確認を行う場合、入居者は通信端末６を操作して、管理装置５が提供しているユーザ管理サイトにログインし、給湯器１の状態の情報を要求するための機器状態要求情報を管理装置５へ送信する。すると、管理装置５は、ログイン時に取得したユーザアカウントが含まれる関連付け情報を参照し、この関連付け情報に含まれるシリアル番号を有する中継装置２から受信して記憶部５ｂに記憶している機器状態情報を通信端末６へ送信する。ここで、機器状態情報とは、前述の運転状態情報を含む情報であり、例えば、運転状態情報のみで構成されてもよいし、運転状態情報とエラー情報とで構成されてもよい。
【００４６】
次に、入居者（旧入居者Ａ）が別の住宅へ転居して、別の入居者（新入居者Ｂ）が給湯器１の設置されている住宅へ引っ越ししてきた場合、図１において、無線ＬＡＮルータ３が新入居者Ｂが所有のものと交換された状態になる。新入居者Ｂの無線ＬＡＮルータを無線ＬＡＮルータ３ｂとして以下説明する。
【００４７】
新入居者ＢがステップＳ１〜ステップＳ８の手順を行えば、管理装置５に記憶されている関連付け情報が変更されて新入居者Ｂは所有の通信端末で給湯器１の遠隔操作及び状態確認を行うことができる。一方、新入居者ＢがステップＳ１〜ステップＳ８の手順を行わなかった場合には、新入居者Ｂは所有の通信端末で給湯器１の遠隔操作及び状態確認を行えないだけでなく、管理装置５による給湯器１の管理も行われない。管理装置５による給湯器１の管理には、例えば、中継装置２からエラー情報を受信したときに、管理装置５からエラー情報を通信端末６へ送信すること、管理装置５からメンテナンス業者の情報処理装置へ同エラー情報を送信すること、管理装置５が運転状態情報等に基づいて給湯器１の構成部材の寿命を予測し、構成部材の交換時期を通信端末６及び／又はメンテナンス業者の情報処理装置へ送信すること等がある。
【００４８】
ところが、新入居者Ｂが、例えば、給湯器１の遠隔操作及び状態確認を行う必要がなく、あるいは遠隔操作及び状態確認ができることを知らずに、管理装置５による給湯器１の管理だけを行ってもらおうと考えた場合に、ステップＳ５，Ｓ６と同様のステップＳ１１，Ｓ１２が実施されればよい。これは、新入居者Ｂにとっては、中継装置２のＷＰＳボタン２ｗと新入居者Ｂの無線ＬＡＮルータ３ｂのＷＰＳボタン３ｗとを押すだけでよいので、簡単な操作で済む。
【００４９】
この場合、ステップＳ１１で、新入居者Ｂが中継装置２のＷＰＳボタン２ｗと無線ＬＡＮルータ３ｂのＷＰＳボタン３ｗとを押すことにより、中継装置２と新入居者Ｂの無線ＬＡＮルータ３ｂとの無線ＬＡＮの接続設定が行われる。すると、ステップＳ１２で、中継装置２は、自己（中継装置２）のシリアル番号を、ステップＳ１１で無線ＬＡＮルータ３ｂから取得したＢＳＳＩＤとともに、無線ＬＡＮルータ３ｂ及び通信網４を介して管理装置５へ送信する。
【００５０】
次に、ステップＳ１３では、管理装置５は、ステップＳ１１で中継装置２から取得した中継装置２のシリアル番号及び無線ＬＡＮルータ３ｂの識別情報（ＢＳＳＩＤ）と、記憶部５ａに有効な情報として記憶されている関連付け情報との照合を行い、照合結果に基づいて同関連付け情報を無効にする。
【００５１】
具体的には、管理装置５は、ステップＳ１１で取得した中継装置２のシリアル番号が含まれる関連付け情報を参照し、その関連付け情報に含まれる無線ＬＡＮルータの識別情報が無線ＬＡＮルータ３ｂの識別情報と一致するか否かを判定し、一致しない場合には、上記の関連付け情報を無効にすることで、中継装置２のシリアル番号とユーザアカウントとの関連付けを解除する。本例の場合、上記の関連付け情報には、旧入居者Ａの無線ＬＡＮルータ３の識別情報が含まれており、今回取得した無線ＬＡＮルータ３ｂの識別情報と一致しないので関連付け情報を無効にする。なお、関連付け情報を無効にするために、同関連付け情報を記憶部５ａから削除するようにしてもよいし、あるいは、同関連付け情報を無効情報（関連付けが無効な情報）として記憶部５ａに残しておいてもよい。
【００５２】
本実施形態では、中継装置２と無線ＬＡＮルータ３との無線ＬＡＮの接続設定が行われると、その直後に、中継装置２が、中継装置２のシリアル番号と無線ＬＡＮルータ３の識別情報（ＢＳＳＩＤ）とを管理装置５へ送信するよう構成されるとともに、管理装置５が関連付け情報に無線ＬＡＮルータ３の識別情報を含めて記憶するよう構成されている。これにより、旧入居者が転居して新入居者が居住する場合には、無線ＬＡＮルータが新入居者所有のものに変更され、新入居者の無線ＬＡＮルータと中継装置２との接続設定が行われたときに、旧入居者の無線ＬＡＮルータの識別情報を含む関連付け情報を無効にすることができ、旧入居者の通信端末による給湯器１の遠隔操作及び状態確認を阻止することができる。
【００５３】
一方、管理装置５が、仮に、関連付け情報として、無線ＬＡＮルータの識別情報を含めずに、中継装置２のシリアル番号とユーザアカウントとのみを関連付けした情報とした場合に、新入居者によって中継装置２のＷＰＳボタン２ｗと無線ＬＡＮルータ３ｂのＷＰＳボタン３ｗが押されて中継装置２と新入居者Ｂの無線ＬＡＮルータ３ｂとの接続設定が行われても、関連付け情報を無効にすることができない。この場合、中継装置２と管理装置５とは通信可能な状態となり、旧入居者の通信端末による給湯器１の遠隔操作及び状態確認が行われる虞がある。このような旧入居者の通信端末による給湯器１の遠隔操作及び状態確認を、本実施形態では確実に防止することができる。
【００５４】
また、本実施形態において、例えば、ステップＳ１１〜Ｓ１３が行われた後で、管理装置５は、関連付け情報が無効になっている旨、例えば給湯器１の遠隔操作及び状態確認が不可になっていることを旧入居者の通信端末６へ電子メール等によって送信するようにしてもよい。これにより、旧入居者は給湯器１の遠隔操作及び状態確認を行えなくなっていることを知ることができる。
【００５５】
なお、本実施形態では、通信端末６を用いて給湯器１の遠隔操作及び状態確認の両方を行うことができるよう構成されているが、給湯器１の遠隔操作及び状態確認のうちのいずれか一方のみが行えるように構成されていてもよい。
【００５６】
また、管理装置５は、複数の装置に分割され、これら複数の装置が連携して管理装置５として機能するように構成されていてもよい。
【００５７】
また、住宅設備機器として、給湯器１を例に挙げたが、これに限らず、中継装置２及び無線ＬＡＮルータ３を介して管理装置５と通信可能に構成された機器であればよい。
【００５８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００５９】
本発明は、旧入居者の通信端末による住宅設備機器に関する要求を排除することができる通信システム等として有用である。
【符号の説明】
【００６０】
１  給湯器
２  中継装置
３  無線ＬＡＮルータ
４  通信網
５  管理装置
６  通信端末
【図１】
2018182452.tif 000003
【図２】
2018182452.tif 000004